(57)【特許請求の範囲】
【請求項１】
飲料収容空間を内部に備えるとともに飲み口が形成された容器本体にヒンジ部を介して接続され、前記ヒンジ部を中心に回動して前記飲み口を開閉する蓋体と、
前記蓋体に設けられ、前記蓋体を閉じたときに前記容器本体の蓋体固定用突部と係合する係合用突起を有するロック部材とを備えており、
前記蓋体には、前記蓋体固定用突部に対して前記係合用突起が係脱可能に軸支されて前記ロック部材が嵌め込まれるロック部材嵌込用切欠部が設けられており、
前記ロック部材の前記ロック部材嵌込用切欠部に隣接する面には、摺動用突起および傾斜面のいずれか一方が設けられており、
前記ロック部材嵌込用切欠部の対応する位置には、前記摺動用突起および前記傾斜面の他方が設けられており、
前記ロック部材嵌込用切欠部に設けられた前記摺動用突起あるいは前記傾斜面は、前記ロック部材に設けられた前記摺動用突起あるいは前記傾斜面に弾性を伴って摺接し、前記係合用突起を前記蓋体固定用突部に対して係合する方向に押圧付勢することを特徴とする飲料容器のロック機構。
【請求項２】
飲料収容空間を内部に備える容器本体に設けられた飲み口に被せる蓋体と、
前記蓋体に設けられ、前記蓋体を被せたときに前記容器本体の蓋体固定用突部と係合する係合用突起を有する複数のロック部材とを備えており、
前記蓋体には、前記蓋体固定用突部に対して前記係合用突起が係脱可能に軸支されて前記ロック部材がそれぞれ嵌め込まれる複数のロック部材嵌込用切欠部が設けられており、
前記複数のロック部材における前記ロック部材嵌込用切欠部に隣接する面には、摺動用突起および傾斜面のいずれか一方がそれぞれ設けられており、
前記複数のロック部材嵌込用切欠部の対応する位置には、前記摺動用突起および前記傾斜面の他方が設けられており、
前記ロック部材嵌込用切欠部に設けられた前記摺動用突起あるいは前記傾斜面は、前記ロック部材に設けられた前記摺動用突起あるいは前記傾斜面に弾性を伴って摺接し、前記係合用突起を前記蓋体固定用突部に対して係合する方向に押圧付勢することを特徴とする飲料容器のロック機構。
【請求項３】
前記ロック部材あるいは前記蓋体には、前記摺動用突起が前記傾斜面から離間するまで前記ロック部材が回動するのを規制するストッパーが設けられていることを特徴とする請求項１または２に記載の飲料容器のロック機構。
【請求項４】
前記ロック部材あるいは前記蓋体には、前記ロック部材に外部から力が付加されていない状態において、前記係合用突起を前記蓋体固定用突部に対して係合する方向に前記ロック部材が過度に回動するのを規制する逆回動規制ストッパーが設けられていることを特徴とする請求項１ないし３のいずれかに記載の飲料容器のロック機構。
【請求項５】
請求項１ないし４のいずれかに記載されたロック機構を備える飲料容器。
【発明の詳細な説明】
【技術分野】
【０００１】
本発明は、飲み口（あるいは注ぎ口）を開閉する蓋体を固定するロック機構を備える飲料容器に関する。
【背景技術】
【０００２】
近年、衛生意識の高まりとともに、水、お茶、あるいはジュース等の飲料を水筒に入れて幼稚園や学校、あるいは職場等に持参する姿が一般的になっており、水筒は、ほぼ毎日使用する生活必需品となっている。
【０００３】
このように学校等へ持参する水筒には、当然、中の飲料が不所望に漏れ出さないような密閉性が必要であり、その一方で、飲料を飲む際には、幼児であっても簡単な操作で素早く開け閉めできることが要求される。
【０００４】
このような要求に応えるため、従来の水筒１（例えば、特許文献１）は、図６に示すように、飲料Ｌが収容される本体２と、本体２の天面開口２ａを覆うとともに、円筒状の飲み口３を有する中蓋４と、中蓋４の天面においてその一方端部に設けられた軸５ａを中心として回動可能に枢着された片開き蓋体５と、当該片開き蓋体５を閉じた状態で固定するロック機構６とで構成されており、片開き蓋体５の内側には、当該片開き蓋体５が閉じた状態で飲み口３の天面開口３ａに当接して水筒１の内部を密閉するパッキン７が設けられている。
【０００５】
ロック機構６は、大略、片開き蓋体５を閉じた状態で固定するレバー６ａと、当該レバー６ａの動きを規制するロック６ｂと、レバー６ａを固定位置に戻す方向に常時付勢するばね６ｃとを備えており、レバー６ａおよびロック６ｂは、それぞれ中蓋４の周縁部において、軸６ａ１、６ｂ１で回動可能に枢着されている。
【０００６】
この水筒１によれば、片開き蓋体５がロック機構６によって閉じた状態で固定されているときは、パッキン７が飲み口３の天面開口３ａに当接することによって水筒１の内部が密閉されている。飲料Ｌを飲む際には、ロック機構６におけるロック６ｂを、軸６ｂ１を中心として反時計回りに回動させつつ、レバー６ａの下端部をばね６ｃの付勢力に抗して押し込むことにより、レバー６ａが軸６ａ１を中心にして反時計回りに回動して片開き蓋体５の固定が解除される。この解除状態で片開き蓋体５を時計回りに回動させて開くことにより、飲み口３が露出する。
【先行技術文献】
【特許文献】
【０００７】
【特許文献１】特開２００９−２０８８１１号公報
【発明の概要】
【発明が解決しようとする課題】
【０００８】
しかしながら、水筒１のロック機構６では、片開き蓋体５を固定するレバー６ａを固定位置まで復帰させるためのばね６ｃが不可欠であり、仮にロック６ｂを省いたとしても、最低限、レバー６ａとばね６ｃとを設ける必要があることからこれ以上部品点数を簡略化してコストを下げることができなかった。
【０００９】
また、レバー６ａの内側にばね６ｃを配置すると、それだけ当該ばね６ｃにごみが溜まりやすく不衛生であり、かつ、ロック機構６が複雑であって隅にゴミや垢が溜まり易くしかもこれを分解清掃するのが非常に困難であった。
【００１０】
さらに、ロック機構６が中蓋４に取り付けられていることから、片開き蓋体５を開けて飲料を飲む際、ロック機構６が顎に当たって邪魔になったり、あるいは、飲み口３から垂れてきた飲料がロック機構６内に侵入することによって前述のように隅にゴミや垢が溜まり易くなってロック機構６が不衛生になっていた。
【００１１】
本発明は、このような従来技術の問題点に鑑みて開発されたものである。それゆえに本発明の主たる課題は、部品点数を極小化することにより、コストを下げられるとともに、分解清掃が容易で隅々まで洗浄でき、衛生的に使用することのできる飲料容器のロック機構、および当該ロック機構を備える飲料容器を提供することにある。
【課題を解決するための手段】
【００１２】
請求項１に記載した発明は、「飲料収容空間２３を内部に備えるとともに飲み口３４が形成された容器本体１２にヒンジ部３６を介して接続され、前記ヒンジ部３６を中心に回動して前記飲み口３４を開閉する蓋体４０と、
前記蓋体４０に設けられ、前記蓋体４０を閉じたときに前記容器本体１２の蓋体固定用突部３８と係合する係合用突起６２を有するロック部材４２とを備えており、
前記蓋体４０には、前記蓋体固定用突部３８に対して前記係合用突起６２が係脱可能に軸支されて前記ロック部材４２が嵌め込まれるロック部材嵌込用切欠部４６が設けられており、
前記ロック部材４２の前記ロック部材嵌込用切欠部４６に隣接する面には、摺動用突起５８および傾斜面６６のいずれか一方が設けられており、
前記ロック部材嵌込用切欠部４６の対応する位置には、前記摺動用突起５８および前記傾斜面６６の他方が設けられており、
前記ロック部材嵌込用切欠部４６に設けられた前記摺動用突起５８あるいは前記傾斜面６６は、前記ロック部材４２に設けられた前記摺動用突起５８あるいは前記傾斜面６６に弾性を伴って摺接し、前記係合用突起６２を前記蓋体固定用突部３８に対して係合する方向に押圧付勢することを特徴とする飲料容器１０のロック機構１４」である。
【００１３】
本発明のロック機構１４によれば、ロック部材４２は、蓋体４０のロック部材嵌込用切欠部４６に嵌め込まれるとともに軸支されており、当該ロック部材４２のロック部材嵌込用切欠部４６に隣接する面５４には、摺動用突起５８（あるいは傾斜面６６）が設けられており、ロック部材嵌込用切欠部４６の対応する位置には、傾斜面６６（あるいは摺動用突起５８）が設けられている。
【００１４】
以下、ロック部材４２に摺動用突起５８が設けられ、ロック部材嵌込用切欠部４６に傾斜面６６が設けられているものとして説明するが、この逆の場合（ロック部材４２に傾斜面６６、ロック部材嵌込用切欠部４６に摺動用突起５８が設けられている場合）であっても本発明の作用効果を奏し得ることは言うまでもない。
【００１５】
ロック部材嵌込用切欠部４６に設けられた傾斜面６６は、ロック部材４２に設けられた摺動用突起５８に弾性を伴って摺接して、ロック部材４２に設けられた係合用突起６２を容器本体１２の蓋体固定用突部３８に対して係合する方向に押圧付勢するようになっている。
【００１６】
これにより、ヒンジ部３６を中心に回動させた蓋体４０で飲み口３４を閉じた状態において、傾斜面６６からの押圧付勢力により、係合用突起６２は、蓋体固定用突部３８と係合した状態を維持している。
【００１７】
蓋体４０を開ける際には、外部からの力を付加することによって当該傾斜面６６からの押圧付勢力に抗して係合用突起６２が蓋体固定用突部３８から外れる方向にロック部材４２を回動させ、この状態でヒンジ部３６を中心に蓋体４０を回動させることにより、容器本体１２の飲み口３４が露出する。
【００１８】
傾斜面６６と摺動用突起５８との関係は、弾性を伴う摺接状態にあるから、ロック部材４２を回動させたとき、ロック部材嵌込用切欠部４６はロック部材４２の摺動用突起５８によって外側に押し広げられた状態となっており、傾斜面６６からの押圧付勢力にさらにロック部材嵌込用切欠部４６が元の形状に戻ろうとする弾性力が加わっている。
【００１９】
このため、外部から付加する力を緩めることにより、ロック部材４２は直ちに元に戻る方向（すなわち、係合用突起６２が蓋体固定用突部３８に対して係合する方向）に回動する。
【００２０】
以上のように、本発明のロック機構１４によれば、外部から力を付加することによって回動したロック部材４２を、蓋体４０自身の弾性力を利用して元の位置に戻すことができるので、ばね材あるいはその他の弾性部材を設ける必要がなくなり、部材を少なくすることが出来るだけでなく構造もシンプルになって分解しやすく、ゴミや垢が溜まり難くなる。
【００２１】
また、本発明のロック機構１４では、ロック部材４２が蓋体４０に取り付けられていることから、蓋体４０を開けて中の飲料Ｌを飲む際にロック部材４２が邪魔になることがなく、さらに、飲み口３４から飲料Ｌが垂れてきたとしても当該飲料Ｌがロック機構１４内に侵入することがない。
【００２２】
なお、「飲み口３４」とは、ユーザが直接口をつけて飲料Ｌを飲むためのやや小径の開口に限られず、ユーザが飲料Ｌをコップに注ぐためのやや大径の開口（注ぎ口）も当然に含む概念である。また、「飲料容器１０」とは、水筒のように人が持ち運びする小型可搬式のものの他、より大型のもの、さらには据置式のものも含む概念である。これらのことは本明細書全体を通じて同じである。
【００２３】
請求項２に記載した発明は、請求項１のロック機構１４が蓋体４０をヒンジ部３６とロック部材４２と容器本体１２に固定しているのに対して、ヒンジ部３６を用いることなく複数のロック部材４２で蓋体４０を固定するロック機構１４に関し、「飲料収容空間２３を内部に備える容器本体１２に設けられた飲み口３４に被せる蓋体４０と、
前記蓋体４０に設けられ、前記蓋体４０を被せたときに前記容器本体１２の蓋体固定用突部３８と係合する係合用突起６２を有する複数のロック部材４２とを備えており、
前記蓋体４０には、前記蓋体固定用突部３８に対して前記係合用突起６２が係脱可能に軸支されて前記ロック部材４２がそれぞれ嵌め込まれる複数のロック部材嵌込用切欠部４６が設けられており、
前記複数のロック部材４２における前記ロック部材嵌込用切欠部４６に隣接する面には、摺動用突起５８および傾斜面６６のいずれか一方がそれぞれ設けられており、
前記複数のロック部材嵌込用切欠部４６の対応する位置には、前記摺動用突起５８および前記傾斜面６６の他方が設けられており、
前記ロック部材嵌込用切欠部４６に設けられた前記摺動用突起５８あるいは前記傾斜面６６は、前記ロック部材４２に設けられた前記摺動用突起５８あるいは前記傾斜面６６に弾性を伴って摺接し、前記係合用突起６２を前記蓋体固定用突部３８に対して係合する方向に押圧付勢することを特徴とする飲料容器１０のロック機構１４」である。
【００２４】
本発明のロック機構１４によれば、蓋体４０を容器本体１２から外す際には、全てのロック部材４２に外部からの力を付加して係合用突起６２が蓋体固定用突部３８から外れる方向にロック部材４２を回動させ、この状態で蓋体４０を容器本体１２から引き外すことにより容器本体１２の飲み口３４が露出する。外部から付加した力を緩めることにより、個々のロック部材４２が元の位置に戻る原理については請求項１の場合と同じである。
【００２５】
請求項３に記載した発明は、請求項１または２のロック機構１４に関し、「前記ロック部材４２あるいは前記蓋体４０には、前記摺動用突起５８が前記傾斜面６６から離間するまで前記ロック部材４２が回動するのを規制するストッパー６４が設けられている」ことを特徴とする。
【００２６】
ロック部材４２に外部からの力を勢いよく付加した場合、摺動用突起５８が傾斜面６６から離間して当該傾斜面６６からの押圧付勢力を受けることができなくなってしまい、外部から付加する力を緩めてもロック部材４２が元の位置に戻らなくなるおそれがあるが、本発明のロック機構１４では、ストッパー６４が設けられているので、摺動用突起５８が傾斜面６６から離間するのを回避でき、外部からの力を勢いよく付加した場合等であっても当該力を緩めてやれば、ロック部材４２は必ず元の位置に戻る。
【００２７】
請求項４に記載した発明は、請求項１ないし３のいずれかに記載のロック機構１４に関し、「前記ロック部材４２あるいは前記蓋体４０には、前記ロック部材４２に外部から力が付加されていない状態において、前記係合用突起６２を前記蓋体固定用突部３８に対して係合する方向に前記ロック部材４２が過度に回動するのを規制する逆回動規制ストッパー６０が設けられている」ことを特徴とする。
【００２８】
ロック部材４２に設けられた摺動用突起５８は、ロック部材嵌込用切欠部４６に設けられた傾斜面６６から「係合用突起６２を蓋体固定用突部３８に対して係合する方向」に押圧付勢されていることから、ロック部材４２に外部から力が付加されていない状態で、ロック部材４２が同方向に過度に回動するおそれがあるが、本発明のロック機構１４では逆回動規制ストッパー６０が設けられているので、このような過度の回動を防止できる。
【００２９】
加えて、ロック部材４２に外部から力が付加されていないとき、傾斜面６６からの押圧付勢力により、ロック部材４２が逆回動規制ストッパー６０を介してロック部材嵌込用切欠部４６に押しつけられて保持された状態になっていることから、ロック機構１４を振動させた場合であってもロック部材４２が振動してカタカタと不快な音が発生するおそれがない。
【００３０】
請求項５に記載した発明は、「請求項１ないし４のいずれかに記載されたロック機構１４を備える飲料容器１０」である。
【発明の効果】
【００３１】
以上の通りであり、本発明によれば、部品点数を極小化することにより、コストを下げられるとともに、分解清掃が容易で衛生的に使用することのできる飲料容器のロック機構、および当該ロック機構を備える飲料容器を提供することができた。
【図面の簡単な説明】
【００３２】
【図１】本発明が適用された飲料容器を示す分解正面図である。
【図２】本発明のロック機構における蓋体を示す、(a)断面図（(a)-(a)矢視）、(b)平面図、(c)右側面図、および(d)断面図（(d)-(d)矢視）である。
【図３】本発明のロック機構におけるロック部材を示す(a)斜視図、および(b)左側面図である。
【図４】本発明のロック機構におけるロック部材の動きを示す断面図である。
【図５】ロック部材が回動して摺動用突起が摺動用凹部のテーパー底面上を摺動したときに、ロック部材嵌込凹所が押し広げられる様子を示す、図４におけるＶ−Ｖ矢視断面図である。
【図６】従来技術を示す図である。
【発明を実施するための形態】
【００３３】
以下、本発明が適用された飲料容器（水筒）１０の実施例について図面を用いて説明する。図１に示すように、本実施例の飲料容器１０は、大略、容器本体１２と、ロック機構１４と、必要に応じて設けられるコップ１６およびベルト１８とを備えている。
【００３４】
容器本体１２は、有底筒状の容器筒２０と、容器筒２０の天面開口２０ａを閉じる中蓋２２とで構成されている。中蓋２２で閉じられた容器筒２０の内部空間２０ｂは、水、お茶、あるいはジュース等の飲料Ｌを収容する飲料収容空間２３となる。もちろん、容器筒２０および中蓋２２の別体とせず、一体として容器本体１２を形成してもよい。この場合、飲料Ｌの出し入れは、後述する飲み口３４を通じて行うことになる。
【００３５】
容器筒２０は、ポリプロピレンに代表される樹脂で形成されており（もちろん、材質はこれに限定されるものではなく、樹脂の他、ステンレス等の金属といった水密材料を使用することができる。以下、ほかの部材の材質についても同じ。）、その上端外周部には、中蓋２２を螺合するための雄ネジ２４が形成されている。また、当該雄ネジ２４よりもやや下方の中蓋２２と干渉しない位置には、ベルト１８を容器筒２０に取り付けるための一対のベルト取付突部２６が水平外向きに突設されている。
【００３６】
中蓋２２は、容器筒２０と同様に樹脂で形成されており、その下端部内側には、容器筒２０の上端部を挿入螺着するための雌ネジ２８が形成されている。また、雌ネジ２８よりも奥側には、リング状のパッキン２９が配設されており、当該雌ネジ２８よりも上側の外面には、コップ１６が螺着される雄ネジ３０が形成されている。
【００３７】
また、中蓋２２の天面２２ａには当該天面２２ａと平行な台面３１ａを有する台部３１が形成されており、台面３１ａの中央部からやや周縁に寄った位置には、中蓋２２の内側と外側とを連通する貫通孔３２が形成されており、当該貫通孔３２を囲繞するようにして、筒状の飲み口３４が上方に突設されている。
【００３８】
さらに、台面３１ａにおける、飲み口３４が寄った方向よりも反対側の周縁には、ロック機構１４の蓋体４０（後述）を中蓋２２に対して回動可能に取り付けるヒンジ部３６を構成する部材であるヒンジ雌部３６ａが形成されている。また、飲み口３４が寄った方向における飲み口３４よりもさらに周縁側には、ロック機構１４と係合する蓋体固定用突部３８が台面３１ａから水平方向に突設されている。
【００３９】
ロック機構１４は、図２（ａ）に示すように、蓋体４０と、ロック部材４２と、必要に応じて設けられる弁体４４とで構成されている。
【００４０】
蓋体４０は、図２（ａ）〜（ｄ）に示すように、容器本体１２を構成する中蓋２２に設けられた飲み口３４を開閉するための部材であり、天面４０ａと、当該天面４０ａの周縁から下方に延びる側壁４０ｂと、天面４０ａおよび側壁４０ｂで囲まれた内部空間４０ｃとを有している。また、蓋体４０は、側方から見たときにおいて（図２（ａ）参照）、一方端側（図中左側）が低く、他方端側（図中右側）が高く形成されており、背の低い一方端には、中蓋２２のヒンジ雌部３６ａとともにヒンジ部３６を構成するヒンジ雄部３６ｂが形成されている。さらに、背の高い他方端には、ロック部材４２が嵌め込まれるロック部材嵌込用切欠部４６が形成されている。
【００４１】
なお、蓋体４０は、本実施例のような「片開き」方式に限られず、ヒンジ部３６に変えて別のロック部材４２を取り付け、両方のロック部材４２を一時に外すことによって蓋体４０を中蓋２２から分離するようにしてもよい。
【００４２】
また、蓋体４０を開く方向に付勢するバネ等の弾性部材をヒンジ部３６に取り付けてもよい。これにより、ロック部材４２を操作するだけで、自動的に蓋体４０を開けることができる。
【００４３】
ロック部材嵌込用切欠部４６は、これを正面から見たとき（図２（ｃ）参照）、下方（つまり、蓋体４０を容器本体１２に取り付けたときの容器本体１２側）側が開口した逆Ｕ字状になっており、当該ロック部材嵌込用切欠部４６の内側面４６ａ（嵌め込まれたロック部材４２に隣接する面）には、回動用凹部４８および摺動用凹部５０が形成されている。もちろん、ロック部材嵌込用切欠部４６は、逆Ｕ字状に限られず、上方が開口したＵ字状でもよいし、ロック部材４２を回動させるために要する外部からの力が大きくなるが開口の無いＯ字状であってもよい。なお、これら凹部４８、５０の詳細な説明は、以下、ロック部材４２の説明とともに行う。
【００４４】
ロック部材４２は、ヒンジ部３６と協働し、飲み口３４を閉じた状態で蓋体４０を容器本体１２の中蓋２２に固定するための樹脂製部材であり、図３に示すように、四隅が丸く形成された矩形板状の本体部材５２と、当該本体部材５２の両長辺側端から垂直方向に延出された一対のプレート５４と、プレート５４から外向きに突設する３組の突起（一対の回動用突起５６、一対の摺動用突起５８、および一対の逆回動規制ストッパー６０）と、本体部材５２における下側の短辺（摺動用突起５８に近い容器本体１２側の短辺）側端部から、プレート５４と同様に本体部材５２から垂直方向に突設された係合用突起６２と、係合用突起６２が突設された短辺とは反対側である上側の短辺（逆回動規制ストッパー６０に近い側の短辺）側端部において、本体部材５２から垂直方向に突設されたストッパー６４とで一体的に形成されている。
【００４５】
回動用突起５６は、ロック部材４２の本体部材５２における長手方向中央部においてプレート５４から外向きに突設されており、ロック部材４２を蓋体４０のロック部材嵌込用切欠部４６に嵌め込んだとき、当該ロック部材嵌込用切欠部４６の回動用凹部４８に対して蓋体４０の内側から嵌るようになっている（なお、本実施例では、回動用突起５６を回動用凹部４８に嵌め込み易いように、回動用凹部４８からロック部材嵌込用切欠部４６の内側端にかけて、当該回動用凹部４８よりも浅い回動用突起嵌込溝４８ａが形成されている。）。これにより、ロック部材４２は、図４に示すように、ロック部材嵌込用切欠部４６内で回動用突起５６を中心として回動し、蓋体固定用突部３８に対して係合用突起６２が係脱可能に軸支された状態となる。なお、ロック部材４２は、蓋体固定用突部３８に対して係合用突起６２が係脱可能に軸支されればよく、その軸支手段は、上述した回動用突起５６および回動用凹部４８に限定されない。
【００４６】
摺動用突起５８は、回動用突起５６よりも下短辺側（つまり、容器本体１２の中蓋２２側）においてプレート５４から外向きに突設されており、ロック部材４２をロック部材嵌込用切欠部４６に嵌め込んだとき、当該ロック部材嵌込用切欠部４６の摺動用凹部５０に対して蓋体４０の内側から嵌るようになっている。また、摺動用突起５８の形状は、平面視において、下短辺側（容器本体１２側）に底辺が位置する台形となっている。
【００４７】
摺動用凹部５０は、図５に示すように、蓋体４０の内側から外側に向けて当該摺動用凹部５０が浅くなるように形成された傾斜面６６を有しており、摺動用凹部５０に嵌め込まれた摺動用突起５８の先端は、当該傾斜面６６に当接するようになっている。本実施例において、傾斜面６６は、摺動用凹部５０の底に形成されているが、このような摺動用凹部５０を設けず、ロック部材嵌込用切欠部４６のロック部材４２に隣接する面４６ａから傾斜面６６を突設形成してもよい。
【００４８】
摺動用突起５８と傾斜面６６との関係は、図５に示すように、摺動用突起５８の先端間の距離Ｙより傾斜面６６が形成されているロック部材４２に隣接する面４６ａ間の距離Ｘが狭く且つロック部材嵌込用切欠部４６が構成されている蓋体４０が弾性を有する樹脂製（弾性変形可能な金属でも可）である処から、ロック部材４２をロック解除方向に回動させた時、摺動用突起５８によってロック部材嵌込用切欠部４６が押し広げられ、その反力が摺動用突起５８を傾斜面６６に沿って押し戻し、ロック方向にロック部材４２を押し戻す働きをする。ロック部材嵌込用切欠部４６がＵ字状切欠形状の場合は上記ばね性が顕著に現れる。
【００４９】
逆回動規制ストッパー６０は、図３に示すように、回動用突起５６よりも上短辺側（つまり、容器本体１２側とは反対側の端部）においてプレート５４から外向きに突設されており、ロック部材４２をロック部材嵌込用切欠部４６に嵌め込んで、ロック部材４２における容器本体１２側とは反対の端部（以下、「ロック解除端部Ａ」という。）に押し込み力が付勢されていない状態（図４中に一点鎖線で示すように、ロック部材４２における本体部材５２の表面が、ロック部材嵌込用切欠部４６と面一になっている状態。）において、蓋体４０の内側（ロック部材嵌込用切欠部４６の内側端）に当接するようになっている。もちろん、逆回動規制ストッパー６０を蓋体４０の内側に設け、ロック解除端部Ａに押し込み力が付勢されていない状態で当該逆回転規制ストッパー６０がロック部材４２の回動を規制するようにしてもよい。
【００５０】
係合用突起６２は（図３参照）、ヒンジ部３６を中心として蓋体４０を回動させて飲み口３４を閉じたとき、中蓋２２に設けられた蓋体固定用突部３８と係合することによって蓋体４０を中蓋２２に対して固定する部分である。
【００５１】
ストッパー６４は、ロック部材４２のロック解除端部Ａを押し込んだとき、摺動用突起５８が傾斜面６６から離間する手前で蓋体４０の内面に当接することにより、ロック部材４２がそれ以上回動するのを規制する部材である。ストッパー６４も逆回動規制ストッパー６０と同様、蓋体４０の内側に設け、摺動用突起５８が傾斜面６６から離間する手前でロック部材４２に当接して当該ロック部材４２の回動を規制するようにしてもよい。
【００５２】
本実施例の場合、ストッパー６４は、上述のように、係合用突起６２が突設された短辺とは反対側である上側の短辺（逆回動規制ストッパー６０に近い側の短辺）側端部から、本体部材５２に対して垂直方向に突設されており、図４に示すように、蓋体４０の天面４０ａに形成された段差部分４０ｄの内側面に当接することによってロック部材４２の必要以上の回動を規制するようになっている。もちろん、ストッパー６４による回動の規制手段は、これに限られるものではない。
【００５３】
なお、本実施例では、摺動用突起５８、逆回動規制ストッパー６０、およびストッパー６４がそれぞれ一対で形成されているが、これらを片方だけ形成するようにしても本発明の効果を奏することができる。
【００５４】
弁体４４は、図２（ａ）および図４に示すように、蓋体４０等よりも軟質の弾性体（例えば、シリコン樹脂）で形成されており、蓋体４０における天面４０ａの内側において、蓋体４０を中蓋２２に固定したときに飲み口３４の先端開口を塞ぐ位置に取り付けられている。
【００５５】
本実施例の場合、弁体４４は、内側空間６８を有する椀状の本体部７０と、本体部７０の中央部分から外方に突設された突設部７２とで構成されており、突設部７２の内側空間７４は、本体部７０の内側空間６８と連通しており、さらに、当該突設部７２の先端には、例えばカッターナイフで切れ目を入れたような、細いスリット孔７６が形成されている。
【００５６】
また、本体部７０は段状に形成されており、突設部７２に近い方の段の内面には、内側空間６８に向けて円筒状の内側突部７７が突設されているとともに、弁体４４が取り付けられる蓋体４０の天面４０ａには、蓋体４０の外側と、蓋体４０の内面に取り付けられた弁体４４の内側空間６８とを連通するための蓋体連通孔７８が形成されており、天面４０ａの内側には、当該蓋体連通孔７８を囲繞する円筒体７９が突設されている。
【００５７】
弁体４４の内側突部７７と、本体部７０の段差部内壁７０ａとの間に当該円筒体７９を嵌め込むことによって、弁体４４が蓋体４０に対して固定される。
【００５８】
ここで、内側空間６８、７４の圧力よりもスリット孔７６近傍の外部圧力の方が高い場合、すなわち、外部の空気がスリット孔７６を通って内側空間６８、７４に流れようとする場合、突設部７２の先端部がしぼむことによってスリット孔７６は閉じた状態となり、内側空間７４と外部とは非連通状態になる（内側空間６８、７４の圧力と、スリット孔７６近傍の外部圧力とが等しい場合も、スリット孔７６が細いことからほぼ非連通状態である。）。
【００５９】
逆に、内側空間６８、７４の圧力よりもスリット孔７６近傍の外部圧力の方が低い場合、すなわち、内側空間６８、７４の空気がスリット孔７６を通って外部に流れようとする場合、突設部７２の先端部が膨らむことによってスリット孔７６は開いた状態となり、内側空間７４と外部とが連通状態になる。
【００６０】
このため、図４に示したように、飲み口３４の開口を弁体４４が閉じている場合において、容器本体１２の飲料収容空間２３の内圧が低下していき（例えば、まだ熱いお茶を飲料収容空間２３に注いですぐに弁体４４で飲み口３４を閉じた後、お茶が冷めていくにつれて飲料収容空間２３内の空気が収縮したような場合。）、飲料収容空間２３と外部（蓋体４０に設けられた蓋体連通孔７８を介して連通された弁体４４の内側空間６８、７４）との圧力差がある程度まで大きくなると、弁体４４における突設部７２の先端部が膨らんでスリット孔７６が開いた状態となる。これにより、外部から飲料収容空間２３に空気が流入するので、飲料収容空間２３内の圧力が不所望に低下することによって弁体４４が飲み口３４の開口に張り付いてしまい、蓋体４０を開けた時に当該蓋体４０から弁体４４が外れ、弁体４４を紛失するおそれを回避することができる。
【００６１】
コップ１６は、図１に示すように、その開口部内側に雌ネジ８０が形成されており、当該開口を下向きにして、中蓋２２に形成された雄ネジ３０させることができるようになっている。また、必要に応じて取手８２を設けてもよい。
【００６２】
ベルト１８は、飲料容器１０を肩から掛けるような場合に使用されるもので、ポリエステル製のベルト本体８４と、ベルト本体８４の両端に取り付けられた吊り具８６と、ベルト本体８４の長さを調整する調整バックル８８とで構成されている。ベルト１８を使用する際には、容器筒２０に形成されたベルト取付突部２６に吊り具８６を取り付ける。
【００６３】
本実施例の飲料容器１０を組み立てる手順について簡単に説明すると、最初に、容器筒２０にパッキン２９を介して中蓋２２を螺着する（容器筒２０内に先に飲料Ｌを入れておくとよい。）。次に、蓋体４０のロック部材嵌込用切欠部４６にロック部材４２を取り付けるとともに、蓋体４０に弁体４４を取り付け、然る後、蓋体４０のヒンジ雄部３６ｂを中蓋２２に形成されたヒンジ雌部３６ａに係合させることによってヒンジ部３６を形成して蓋体４０を中蓋２２に取り付ける。最後に、コップ１６およびベルト１８を必要に応じて取り付けることにより、飲料容器１０が完成する。
【００６４】
飲料容器１０内の飲料Ｌを飲むときには、コップ１６を取り外し、然る後、ロック部材４２のロック解除端部Ａを押すことにより、ロック部材４２が回動用突起５６を中心として回動し、係合用突起６２が中蓋２２側の蓋体固定用突部３８から外れて蓋体４０の固定が解除される。蓋体４０の固定を解除した後、ヒンジ部３６を中心にして蓋体４０を回動させると飲み口３４が露出するので、飲料Ｌを飲むことができる（もちろん、取り外したコップ１６に飲料Ｌを注いでもよい。）。
【００６５】
本実施例の飲料容器１０に適用されたロック機構１４によれば、ロック部材４２のロック解除端部Ａが押し込まれたとき、図４に示すように、係合用突起６２が蓋体固定用突部３８から外れるとともに、当該ロック部材４２に設けられた摺動用突起５８も回動するが、当該摺動用突起５８が当接する傾斜面６６は、図５に示すように、蓋体４０の内側から外側に向けて浅くなるように形成されており、摺動用突起５８に摺接して、係合用突起６２を蓋体固定用突部３８に対して係合する方向に押圧付勢していることから、摺動用突起５８が傾斜面６６の上を蓋体４０の内側から外側に向けて摺動することにより、ロック部材嵌込用切欠部４６の容器本体１２側（開口している側）は外側に押し広げられる。
【００６６】
ロック部材嵌込用切欠部４６が外側に押し広げられると、蓋体４０には、樹脂製である（弾性変形可能な金属でも可）蓋体４０自身の弾性力に基づいてロック部材嵌込用切欠部４６を閉じようとする方向の応力が発生する。このため、ロック解除端部Ａを押し込む力を緩めると、ロック部材嵌込用切欠部４６の容器本体１２側が閉じられていき、これと同時にロック部材４２もその摺動用突起５８が傾斜面６６に押されて直ちに元に戻る方向（すなわち、係合用突起６２が蓋体固定用突部３８に対して係合する方向）に回動する。
【００６７】
以上のように、本実施例のロック機構１４によれば、ロック解除端部Ａを押し込むことによって回動したロック部材４２を、蓋体４０自身の弾性力を利用して元の位置に戻すことができるので、ばね材あるいはその他の弾性部材を設ける必要がなくなる。
【００６８】
また、本実施例のロック機構１４では、ロック部材４２が蓋体４０に取り付けられていることから、当該蓋体４０を開けて中の飲料Ｌを飲む際にロック部材４２が邪魔になることがなく、さらに、飲み口３４から飲料Ｌが垂れてきたとしても当該飲料Ｌがロック機構１４内に侵入することがない。
【００６９】
加えて、本実施例のロック機構１４では、摺動用突起５８が傾斜面６６から離間するようなロック部材４２の回動を規制するストッパー６４が設けられている。このため、ロック部材４２のロック解除端部Ａを勢いよく押し込んだとしても、摺動用突起５８が傾斜面６６から離間することによって当該押し込み力を緩めてもロック部材４２が元の位置に戻ることができなくなるといったおそれがなく、押し込む力を緩めてやれば、ロック部材４２は必ず元の位置に戻るようになる。
【００７０】
さらに、ロック部材４２におけるロック解除端部Ａに押し込み力が付勢されていない状態においても、ロック部材嵌込用切欠部４６の傾斜面６６は、摺動用突起５８に摺接し、係合用突起６２を蓋体固定用突部３８に対して係合する方向に押圧付勢しているが、ロック部材４２のロック解除端部Ａ側には蓋体４０の内側に当接する逆回動規制ストッパー６０が設けられていることから、ロック部材４２が係合用突起６２を蓋体固定用突部３８に対して係合する方向に過度に回動するのを防止できる。
【００７１】
加えて、ロック部材４２に外部から力が付加されていないとき、傾斜面６６からの押圧付勢力により、ロック部材４２が逆回動規制ストッパー６０を介してロック部材嵌込用切欠部４６に押しつけられて保持された状態になっていることから、ロック機構１４を振動させた場合であってもロック部材４２が振動してカタカタと不快な音が発生するおそれがない。
【００７２】
なお、上記実施例では、ロック部材４２に摺動用突起５８が設けられ、ロック部材嵌込用切欠部４６に傾斜面６６が設けられているが、逆に、ロック部材４２に傾斜面６６を突出形成し、ロック部材嵌込用切欠部４６に摺動用突起５８を形成してもよい。
【符号の説明】
【００７３】
１０…飲料容器
１２…容器本体
１４…ロック機構
１６…コップ
１８…ベルト
２０…容器筒
２２…中蓋
２３…飲料収容空間
２４…雄ネジ
２６…ベルト取付突部
２８…雌ネジ
２９…パッキン
３０…雄ネジ
３１…台部
３１ａ…台面
３２…貫通孔
３４…飲み口
３６…ヒンジ部
３６ａ…ヒンジ雌部
３６ｂ…ヒンジ雄部
３８…蓋体固定用突部
４０…蓋体
４０ａ…天面
４０ｂ…側壁
４０ｃ…内部空間
４０ｄ…段差部分
４２…ロック部材
４４…弁体
４６…ロック部材嵌込用切欠部
４８…回動用凹部
５０…摺動用凹部
５２…本体部材
５４…プレート
５６…回動用突起
５８…摺動用突起
６０…逆回動規制ストッパー
６２…係合用突起
６４…ストッパー
６６…傾斜面
６８…内側空間
７０…本体部
７２…突設部
７４…内側空間
７６…スリット孔
７７…内側突部
７８…蓋体連通孔
７９…円筒体
８０…雌ネジ
８２…取手
８４…ベルト本体
８６…吊り具
８８…調整バックル
【図１】
0005307774.tif 000002
【図２】
0005307774.tif 000003
【図３】
0005307774.tif 000004
【図４】
0005307774.tif 000005
【図５】
0005307774.tif 000006
【図６】
0005307774.tif 000007